(57)【要約】【課題】壁面に、物掛け装置を確実に強固な取付ができること。【解決手段】外壁材１７の壁面に、固定孔９・９の大孔及び確認孔１１・・・１１の位置にそれぞれの大きさの固定用下孔１９・１９及びネジ杭用下孔２０・・・２０を開け、ネジ杭用下孔２０・・・２０に６本のネジ杭１３・・・１３を壁面と面一になるように締めて取り付ける。外壁材１７の壁面に、取付ベース部材７をあてがい、上下部の固定孔９・９の大孔から、壁面の上下部の固定用下孔１９・１９に取付ネジ１５・１５をねじ込んで締め付けて、取付ベース部材７を外壁材１７の壁面に取り付け、その取付ベース部材７に物掛け装置１のベース部２を重ねるようにあてがい、取付孔６・６から、取付雌ネジ部８・８に取付ねじ１４・１４をねじ込んで締め付ければ物掛け装置１の取付は完了する。【選択図】図２
2015085041.tif 000002
【特許請求の範囲】
【請求項１】
下地材と外壁材との間に中空部が存在する壁や外壁材自体が強度の弱い壁等の壁面に物掛け装置等を取り付けるための取付ベース部材において、外壁材を通過して下地材に達するネジ杭をねじ込む位置に、ネジ杭の頭部の一部が露出する確認孔を設けると共に、確認孔の裏面周縁に当接部を設けて成り、確認孔でネジ杭の頭部の位置を確認しながら、当接部をネジ杭に当接させることができることを特徴とする取付ベース部材。
【発明の詳細な説明】
【技術分野】
【０００１】
本発明は、下地材と外壁材との間に中空部が存在する壁や外壁自体が強度の弱い壁等の壁面へ、物干竿やピンチハンガー等を掛けて使用する物掛け装置や、洗濯したものを入れて運ぶ洗濯かごや掃除道具等を掛けて使用する物掛け装置等を取り付けるための取付ベース部材に関するものである。
【背景技術】
【０００２】
従来は、特開２０１３−９０６４５号発明のように、下地材と外壁材との間に中空部が存在する壁や外壁材自体が強度の弱い壁等の壁面に、物掛け装置を取り付ける場合に、取付ベース部の裏面に当接部を設け、壁面には予めネジ杭を、外壁材を通過して下地材に達するようねじ込み、その頭部を外壁材と面一又は突出した状態に維持して取り付け、物掛け装置を取付ベース部によってそのネジ杭が隠れるように配設して、取付ベース部の取付孔から取付ネジをねじ込み締め付けて取り付け、当接部がネジ杭に当接するように構成した物掛け装置の取付方法は提案されている。
【先行技術文献】
【特許文献】
【０００３】
【特許文献１】特開２０１３−９０６４５号公報
【発明の概要】
【発明が解決しようとする課題】
【０００４】
上記従来の方法においては、ネジ杭をねじ込む位置を型紙によってマークする必要があり型紙のコストがかかるし、ねじ込んだネジ杭に取付ベース部の当接部が当接しているかどうかが見えないので確認できないという問題がある。また、型紙がない場合には、ネジ杭をねじ込む位置を測ってマークする必要があり、取付に手間がかかってしまうという問題がある。本発明は、これらの問題を解決することを課題としている。
【課題を解決するための手段】
【０００５】
本発明は、上記の問題を解決するものであり、下地材と外壁材との間に中空部が存在する壁や外壁材自体が強度の弱い壁等の壁面に物掛け装置等を取り付けるための取付ベース部材において、外壁材を通過して下地材に達するネジ杭をねじ込む位置に、ネジ杭の頭部の一部が露出する確認孔を設けると共に、確認孔の裏面周縁に当接部を設けて成り、確認孔でネジ杭の頭部の位置を確認しながら、当接部をネジ杭に当接させることができることを特徴とする取付ベース部材である。
【発明の効果】
【０００６】
以上のように本発明によれば、取付ベース部材を壁面にあてがって確認孔からネジ杭をねじ込む位置をマークすることができるので、型紙を必要とせず、手間がかからず正確な位置にネジ杭をねじ込むことができ、なおかつ、確認孔でネジ杭の頭部の位置を確認しながら、確実に当接部をネジ杭に当接させて取付ベース部材を取り付けることができるという効果がある。
【図面の簡単な説明】
【０００７】
【図１】壁面への取付状態を示す全体側面図である。
【図２】壁面に取り付ける前の分解斜視図である。
【図３】取付ベース部材と物掛け装置の分解斜視図である。
【図４】取付ベース部材を壁面に取り付けた状態の表面図である。
【図５】図４のＡ−Ａ線部分で断面にした、壁面への取付状態を示す要部縦断面図である。
【図６】図４のＢ−Ｂ線部分で断面にした、壁面への取付状態を示す要部縦断面図である。
【図７】取付ベース部材の表面図である。
【図８】取付ベース部材の裏面図である。
【実施例１】
【０００８】
本発明は、下地材１６と外壁材１７との間に中空部１８が存在する壁の壁面等に、物掛け装置１（本実施例では物干竿を掛けられるもので２つを一対として使用する）を取り付けるための取付ベース部材７に関するものである。なお、本発明は、本実施例のように中空部が存在しなくても、外壁材１７自体が柔らかかったり、割れやすかったりするような強度の弱い壁面に取り付けるためにも有効なものである。
【０００９】
物掛け装置１は、縦長方形状のベース部２には、上下部に取付孔６・６をそれぞれ設け、その間の前面に、半小判状の一対の板状体から成る挟持体３を間隔をおいて設け、その挟持体３に、複数の竿受孔５・・・５を設けた腕杆４を回動可能に設けてある。
【００１０】
取付ベース部材７は、物掛け装置１のベース部２と同様な縦長方形状で、表面側には周囲及び要所にリブを設けてあり、裏面側は平面になっており、縦中心線上の取付孔６・６に対応する位置に取付雌ネジ部８・８を設け、取付雌ネジ部８・８のそれぞれの内方には大小２つの孔を連続しただるま孔状の固定孔９・９、外方にはそれぞれ３つ横に並んだ丸孔の固定孔１０・・・１０を設けてあり、さらに中心にも丸孔の固定孔１０を設けてある。これらの固定孔９・９や固定孔１０・・・１０は取付面の種類により適宜選択して使用される。
【００１１】
取付ベース部材７には、上部の左右両側部、中央よりやや下部の左右両側部及び下部の左右両側部にそれぞれ小さい丸孔の確認孔１１・・・１１を設けてあり、この確認孔１１・・・１１は、皿ねじであるネジ杭１３・・・１３の頭部よりも小さい孔であり、その周囲裏面を、ネジ杭１３・・・１３の頭部の周縁部が当接する当接部１２・・・１２としてある。
【００１２】
取付方法について説明する。
まず、外壁材１７の壁面に、取り付けるべき位置をマークしてそこに取付ベース部材７をあてがい、固定孔９・９の大孔の中心、確認孔１１・・・１１の中心に目印をつけて、そこにそれぞれの大きさの固定用下孔１９・１９及びネジ杭用下孔２０・・・２０を開け、ネジ杭用下孔２０・・・２０については、皿ネジであるネジ杭１３・・・１３が壁面の表面と面一になるよう面取りし、固定用下孔１９・１９及びネジ杭用下孔２０・・・２０にシーリング材を充填する。
【００１３】
その後、ネジ杭用下孔２０・・・２０に６本のネジ杭１３・・・１３を壁面と面一になるように締めて取り付け、その後全てのネジ杭１３・・・１３の縁をもう一度シールする。
【００１４】
そして、外壁材１７の壁面に、再度取付ベース部材７をあてがい、上下部の固定孔９・９の大孔から、壁面の上下部の固定用下孔１９・１９に取付ネジ１５・１５をねじ込んで締め付けて、取付ベース部材７を外壁材１７の壁面に取り付け、その取付ベース部材７に物掛け装置１のベース部２を重ねるようにあてがい、取付孔６・６から、取付雌ネジ部８・８に取付ねじ１４・１４をねじ込んで締め付ければ物掛け装置１の取付は完了する。
【００１５】
取付ベース部材７裏面の確認孔１１・・・１１周囲の当接部１２・・・１２がネジ杭１３・・・１３の頭部に当接して、固定ネジ１５・１５の締め付ける力や、使用時に物掛け装置１にかかる力を、ネジ杭１３・・・１３が受けることになり、外壁材１７に大きな力が掛からず凹んだり割れたりしにくくなる。
【００１６】
なお、ネジ杭１３・・・１３に、例えばボルトのように厚さがある頭部のネジ杭を使用してもよくその場合、外壁材に取り付けた時に壁面よりも突出するので、当接部１２・・・１２は、ベース部２の裏面よりその厚さ寸法分低い面にする必要がある。
【符号の説明】
【００１７】
１    物掛け装置
７    取付ベース部材
１１    確認孔
１２    当接部
１３    ネジ杭
１６    下地材
１７    外壁材
１８    中空部
【図１】
2015085041.tif 000003
【図２】
2015085041.tif 000004
【図３】
2015085041.tif 000005
【図４】
2015085041.tif 000006
【図５】
2015085041.tif 000007
【図６】
2015085041.tif 000008
【図７】
2015085041.tif 000009
【図８】
2015085041.tif 000010